(57)【要約】【課題】  屈曲形ウエハー及びこれを備えた冷蔵庫用ＰＣＢ結合体を提供する。【解決手段】  屈曲形ウエハー３００は、屈曲形状に形成されたウエハーボディー３１０と、そのウエハーボディーに結合された複数のピン端子３２０と、を包含して構成される。また、屈曲形ウエハーを備えた冷蔵庫用ＰＣＢ結合体は、四角形状に形成されたＰＣＢ４００と、前記ＰＣＢに屈曲形状に形成された屈曲形ウエハー３００を含むウエハー２００が装着される。【選択図】      図１
2005129527.tif 000002
【特許請求の範囲】
【請求項１】
屈曲形状に形成されたウエハーボディーと、前記ウエハーボディーに結合された複数のピン端子と、を包含して構成されることを特徴とする屈曲形ウエハー。
【請求項２】
前記ウエハーボディーは、９０度角度に屈曲されることを特徴とする請求項１に記載の屈曲形ウエハー。
【請求項３】
前記ウエハーボディーは、９０度の屈曲形状に形成された屈曲形本体部と、前記屈曲形本体部の一側を覆蓋する屈曲形支持部と、前記屈曲形支持部に貫通形成されて前記ピン端子３２０が固定結合される複数のピン孔と、を包含して構成されることを特徴とする請求項１に記載の屈曲形ウエハー。
【請求項４】
前記ピン孔は、その屈曲形支持部の形態に従って屈曲された形態で配列されることを特徴とする請求項３に記載の屈曲形ウエハー。
【請求項５】
四角形状に形成されたＰＣＢと、前記ＰＣＢに屈曲形状に形成された屈曲形ウエハーを含むウエハーが装着されることを特徴とする屈曲形ウエハーを備えた冷蔵庫用ＰＣＢ結合体。
【請求項６】
前記屈曲形ウエハーは、前記ＰＣＢの縁のうち少なくとも２つの縁に装着されることを特徴とする請求項５に記載の屈曲形ウエハーを備えた冷蔵庫用ＰＣＢ結合体。
【請求項７】
前記屈曲形ウエハーは、前記ＰＣＢの縁形態と相応するように位置することを特徴とする請求項６に記載の屈曲形ウエハーを備えた冷蔵庫用ＰＣＢ結合体。
【請求項８】
前記屈曲形ウエハーは、屈曲形状に形成されたウエハーボディーと、前記ウエハーボディーに結合された複数のピン端子と、包含して構成されることを特徴とする請求項５に記載の屈曲形ウエハーを備えた冷蔵庫用ＰＣＢ結合体。
【請求項９】
前記ウエハーボディーは、９０度の屈曲形状に形成された屈曲形本体部と、前記屈曲形本体部の一側を覆蓋する屈曲形支持部と、前記屈曲形支持部に貫通形成されて前記ピン端子３２０が固定結合される複数のピン孔と、を備えて構成されることを特徴とする請求項８に記載の屈曲形ウエハーを備えた冷蔵庫用ＰＣＢ結合体。
【請求項１０】
前記ピン孔は、その屈曲形支持部の形態によって屈曲された形態で配列されることを特徴とする請求項９に記載の屈曲形ウエハーを備えた冷蔵庫用ＰＣＢ結合体。
【発明の詳細な説明】
【技術分野】
【０００１】
本発明は、冷蔵庫に係るもので、より詳細には、冷蔵庫本体に装着されるＰＣＢにウエハーを稠密に装着可能にするだけでなく、そのＰＣＢのサイズを相対的に減少させる屈曲形ウエハー及びそれを備えた冷蔵庫用ＰＣＢ結合体に関するものである。
【背景技術】
【０００２】
一般的に、冷蔵庫は、内部に冷凍サイクルシステムが装着され、その冷凍サイクルシステムを構成する蒸発器から冷気が発生し、その冷気が冷凍室及び冷蔵室などを循環流動しながらその冷凍室及び冷蔵室を低温状態に維持する。使用者は、冷蔵庫の冷凍室及び冷蔵室などに食品を保管する。
【０００３】
前記冷蔵庫は、普通、冷凍室及び冷蔵室を備えた冷蔵庫本体と、その冷蔵庫本体に装着されてその冷凍室と冷蔵室を開閉するドアと、を包含して構成される。さらに、前記冷蔵庫本体の一側に前記冷凍室または冷蔵室の負荷により冷凍サイクルシステムの運転を制御し、その冷凍室及び冷蔵室の温度を制御する制御ユニットを備える。
【０００４】
前記制御ユニットは、ウエハーが備えた複数のＰＣＢ（プリント基板）を備える。
前記ＰＣＢは、周知通り所定のサイズを有する絶縁基板の表面または内部に導電性材料で形成された回路を備えて構成される。前記ＰＣＢは、回路の形成形態によって分類される。その絶縁基板の一面に回路が形成されたＰＣＢをシングルレイヤＰＣＢと言い、その絶縁基板の両面に回路がそれぞれ形成されたＰＣＢをダブルレイヤＰＣＢと言い、さらに、絶縁基板内部に複数層の回路が形成されたＰＣＢをマルチレイヤＰＣＢと言う。
【０００５】
図６は、冷蔵庫に装着される従来のウエハーを備えた冷蔵庫用ＰＣＢを示した平面図で、図２は、前記ウエハーを備えた冷蔵庫用ＰＣＢを部分分解して示した斜視図である。
【０００６】
図示したように、前記ウエハー２を備えた冷蔵庫用ＰＣＢは、四角形状を有するＰＣＢ１００と、そのＰＣＢ１００に装着される複数のウエハー２００と、から構成される。
前記ＰＣＢ１００は、回路が形成された絶縁基板１１０に複数の結合孔１２０が形成される。
【０００７】
前記ウエハー２００は、直四角形形態の絶縁材質で形成されたボディー２１０と、導電体で形成されてそのボディー２１０に貫通結合された複数のピン端子２２０と、から構成される。前記ボディー２１０は、４個の面を有する四角筒部２１１と、その四角筒部２１１の一側を覆蓋するピン結合面部２１２と、そのピン結合面部２１２に貫通形成されて前記ピン端子２２０が結合されるピン孔（図示せず）と、を備える。前記ピン孔にそれぞれ複数のピン端子２２０が固定結合される。
【０００８】
前記ウエハー２００は、そのピン端子２２０が前記基板１１０の回路に連結されるようにその基板の結合孔１２０に挿入されることで、前記基板１１０に結合される。前記ウエハー２００は、そのボディー２１０の開口された部分が上側に位置するように結合される。さらに、前記基板１１０に結合されたピン端子２２０は、ハンダ付けなどによりその基板１１０に接合される。
【０００９】
このようなＰＣＢ１００に装着されたウエハー２００に各負荷に連結されたプラグがそれぞれ結合される。前記プラグは、前記ウエハーボディー２１０の開口された部分に挟まれることにより結合される。
【００１０】
しかしながら、前述したような従来のウエハーを備えた冷蔵庫用ＰＣＢは、前記ウエハー２００が直線形状に形成されているので、前記ＰＣＢ１００の縁部分に装着されるとき、稠密に組み立てられることができなくなり、ＰＣＢ１００に装着されるウエハー２００の集積効率が低下し、さらに、相対的にＰＣＢ１００のサイズが大きくなる短所がある。つまり、図６に示したように、ＰＣＢ１００の縁に直線形状のウエハー２００を装着する場合、２つのウエハー２００を相互に直角に装着しなければならないので、ＰＣＢ１００の長手方向にＬ１及び／またはＬ２の分だけ長くなるか、幅方向にＷ１及び／またはＷ２の分だけ増加して、ウエハー２００の集積効率を低下させる。
【００１１】
これにより、ＰＣＢ１００の製造単価が相対的に増加するようになり、また、ＰＣＢ１００のサイズが大きくて稠密にならないので、冷蔵庫本体に設置される設置空間のサイズが大きくなるだけでなく、設置空間の制約を受けるという問題点があった。
【発明の開示】
【発明が解決しようとする課題】
【００１２】
本発明は、前記したような問題点を解決するために案出され、本発明の目的は、ＰＣＢにウエハーを稠密に装着可能にするだけでなく、そのＰＣＢのサイズを相対的に減少させる屈曲形ウエハー及びそれを備えた冷蔵庫用ＰＣＢ結合体を提供することにある。
【００１３】
また、本発明の他の目的は、ＰＣＢにウエハーを装着する組立工程数を減少させるようにした屈曲形ウエハー及びこれを備えた冷蔵庫用ＰＣＢ結合体を提供することにある。
【課題を解決するための手段】
【００１４】
このような目的を達成するために、本発明によれば屈曲形状に形成されたウエハーボディーと、前記ウエハーボディーに結合された複数のピン端子と、を包含して構成されることを特徴とする屈曲形ウエハーが提供される。
【００１５】
また、四角形状に形成されたＰＣＢと、前記ＰＣＢに屈曲形状に形成された屈曲形ウエハーを含むウエハーが装着されることを特徴とする屈曲形ウエハーを具備した冷蔵庫用ＰＣＢ結合体が提供される。
【発明の効果】
【００１６】
本発明は、ウエハーが屈曲形状に形成され、また、その屈曲形状に形成されたウエハー３００がＰＣＢ４００の縁に装着されるので、ＰＣＢ４００の縁領域を最大に活用することが可能になり、ウエハーの集積効率が向上する。つまり、従来の構造では、ウエハー２００が直線形状に形成され、そのウエハー２００がＰＣＢ１００の縁に装着される場合、そのＰＣＢ１００の縁領域が稠密に集積されることができないので、ＰＣＢ全体の面積の活用度が低下したが、本発明は、ＰＣＢ４００の縁に相応する形状に形成され、そのＰＣＢ４００の全体領域の活用度だけでなく、集積効率が高くなる。
【００１７】
また、前記ＰＣＢ４００に装着されるウエハーの集積効率が高くなるので、相対的にＰＣＢ４００のサイズが小さくなり、そのＰＣＢ４００の設置空間を減少させることができ、自由に設置可能となる。また、ＰＣＢサイズの減少により、製作単価を減らすことができ、製品の競争力が高くなるという効果がある。
【００１８】
また、本発明のウエハー３００が屈曲形状に形成されて直線形状のウエハー２００が２つ結合された状態になるので、屈曲形ウエハー３００を１つを装着することにより、２つの直線形状ウエハー２００を装着する役割をするようになる。これにより、ウエハーの組立工程数が減少し、組立生産性が高くなるという効果がある。
【発明を実施するための最良の形態】
【００１９】
以下、図面を参照して本発明の屈曲形ウエハー及びこれを備えた冷蔵庫用ＰＣＢ結合体を説明する。
図１は、本発明の屈曲形ウエハーを示した平面図で、図２は、前記屈曲形ウエハーを示した斜視図である。
【００２０】
図示したように、本発明の屈曲形ウエハー３００は、屈曲形状に形成されたウエハーボディー３１０と、そのウエハーボディー３１０に結合された複数のピン端子３２０と、を包含して構成される。前記ウエハーボディー３１０は、絶縁材料で形成され、前記複数のピン端子３２０は、電流が流れる導電体材料で形成される。
【００２１】
前記ウエハーボディー３１０は、９０度に屈曲形状に形成された屈曲形本体部３１１と、その形本体部３１１の一側に延長形成されてその一側を覆蓋する屈曲形支持部３１２と、その形支持部３１２に貫通形成されて前記ピン端子３２０が固定結合される複数のピン孔３１３と、包含して構成される。前記屈曲形本体部３１１は、厚さ及び幅が一定であることが望ましい。
【００２２】
前記ピン孔３１３は、その屈曲形支持部３１２の形態により曲線形態に配列される。前記ピン孔３１３は、前記屈曲形支持部３１２の中心線に沿って所定間隔を置いて形成されることが望ましい。
【００２３】
前記ピン端子３２０は、一定の長さ及び断面を有するピン形状に形成される。前記ピン端子３２０は、一側が屈曲形支持部３１２の外側に突出され、その他側は、屈曲形本体部３１１の内側に位置するように前記ウエハーボディー３１０に固定結合される。
【００２４】
図３は、本発明の屈曲形ウエハーを備えた冷蔵庫用ＰＣＢ結合体の平面図で、図４は、前記屈曲形ウエハーを備えた冷蔵庫用ＰＣＢ結合体の部分断面図である。
【００２５】
図示したように、前記屈曲形ウエハーを備えた冷蔵庫用ＰＣＢ結合体は、四角形状に形成されたＰＣＢ４００に屈曲形状に形成された屈曲形ウエハー３００を包含したウエハー２００が装着されて構成される。
【００２６】
前記ＰＣＢ４００は、絶縁基板４１０に所定形状の回路（図示せず）が形成され、その絶縁基板４１０に前記ウエハー２００，３００が装着される結合孔４２０が形成される。
【００２７】
前記屈曲形ウエハー３００は、屈曲形状に形成されたウエハーボディー３１０と、そのウエハーボディー３１０に結合された複数のピン端子３２０と、を包含して構成される。
【００２８】
前記ウエハーボディー３１０は、９０度に屈曲した形状に形成された屈曲形本体部３１１と、その屈曲形本体部３１１の一側を覆蓋する屈曲形支持部３１２と、その屈曲形支持部３１２に貫通形成されて前記ピン端子３２０が固定結合される複数個のピン孔３１３と、を包含して構成される。前記屈曲形本体部３１１の厚さ及び幅は一定であることが望ましい。
【００２９】
前記ピン孔３１３は、屈曲形支持部３１２の形態によって曲線形態に配列される。前記ピン孔３１３は、前記屈曲形支持部３１２の中心線に沿って一定の間隔を置いて形成されることが望ましい。
【００３０】
前記ウエハーボディー３１０は、絶縁材料で形成され、前記ピン端子３２０は、電流が流れる導電体材料で形成される。
前記屈曲形ウエハー３００は、前記ＰＣＢ４００の縁のうち少なくとも２つ以上の縁に装着される。
【００３１】
前記ＰＣＢ４００が四角形状に形成されるので、その縁は９０度をなす。前記屈曲形ウエハー３００を前記ＰＣＢ４００に装着する、屈曲形ウエハー３００をＰＣＢの縁の形状に相応するように配置する。
【００３２】
前記屈曲形ウエハー３００は、そのピン端子３２０がＰＣＢのピン孔３１３に挿入されるように前記ＰＣＢ４００に装着され、そのＰＣＢ４００に装着された屈曲形ウエハー３００のピン端子３２０にハンダ付けなどにより接合される。
図面において、符号５００はプラグで、符号６００はそのプラグと負荷を連結するリード線である。
【００３３】
以下、本発明の屈曲形ウエハー及びこれを備えた冷蔵庫用ＰＣＢ結合体の作用効果を説明する。
図５に示したように、前記ＰＣＢ４００に装着された屈曲形ウエハー３００に負荷に連結されたプラグ５００が挟まれて接続される。前記屈曲形ウエハー３００に接続されるプラグ５００には、直線形状のプラグ及び屈曲形状のプラグが皆両方とも接続できる。前記屈曲形状のプラグは、その形態を前記屈曲形ウエハー３００に相応した形態で形成される。前記直線形状のプラグを前記屈曲形ウエハー３００に接続する場合、２つの直線形状のプラグを、その屈曲形状のプラグに合うように相互９０度間隔で位置するように接続させる。
【図面の簡単な説明】
【００３４】
【図１】本発明の屈曲形ウエハーを示した平面図である。
【図２】本発明の屈曲形ウエハーを示した斜視図である。
【図３】本発明の屈曲形ウエハーを備えた冷蔵庫用ＰＣＢ結合体の平面図である。
【図４】前記屈曲形ウエハーを備えた冷蔵庫用ＰＣＢ結合体の部分断面図である。
【図５】前記屈曲形ウエハーを備えた冷蔵庫用ＰＣＢ結合体を部分分解して示した斜視図である。
【図６】従来のウエハーを備えた冷蔵庫用ＰＣＢを示した平面図である。
【図７】前記ウエハーを備えた冷蔵庫用ＰＣＢを部分分解して示した斜視図である。
【符号の説明】
【００３５】
３００    屈曲形ウエハー
３１０    ウエハーボディー
３１１    屈曲形本体部
３１２    屈曲形支持部
３１３    ピン孔
３２０    ピン端子
４００    ＰＣＢ（プリント基板）
【図１】
2005129527.tif 000003
【図２】
2005129527.tif 000004
【図３】
2005129527.tif 000005
【図４】
2005129527.tif 000006
【図５】
2005129527.tif 000007
【図６】
2005129527.tif 000008
【図７】
2005129527.tif 000009